(57)【要約】【課題】制御パラメータの設定変更を行う際に、より最適な設定を行う。【解決手段】値が設定変更された制御パラメータに対する評価を示す評価情報を保持する評価情報保持手段１と、値を設定変更する制御パラメータを指定する項目指定手段２と、項目指定手段２により指定された制御パラメータに基づいて、評価情報保持手段１に保持されている該当する評価情報を取得する評価情報取得手段３と、評価情報取得手段３により取得された評価情報を表示する評価情報表示手段４と、評価情報表示手段４により表示された評価情報に基づいて管理者により決定された値を、該当する制御パラメータの値として設定変更する設定変更手段５と、設定変更手段５により制御パラメータの値が設定変更された後、所定期間経過後に、当該制御パラメータに対する評価情報を作成する評価情報作成手段７とを備えた。【選択図】図１
2015064754.tif 000002
【特許請求の範囲】
【請求項１】
制御パラメータが設定された制御プログラムに従い、施設内の設備機器を制御する施設管理装置において、
値が設定変更された前記制御パラメータに対する評価を示す評価情報を保持する評価情報保持手段と、
値を設定変更する前記制御パラメータを指定する項目指定手段と、
前記項目指定手段により指定された制御パラメータに基づいて、前記評価情報保持手段に保持されている該当する評価情報を取得する評価情報取得手段と、
前記評価情報取得手段により取得された評価情報を表示する評価情報表示手段と、
前記評価情報表示手段により表示された評価情報に基づいて管理者により決定された値を、該当する前記制御パラメータの値として設定変更する設定変更手段と、
前記設定変更手段により前記制御パラメータの値が設定変更された後、所定期間経過後に、当該制御パラメータに対する前記評価情報を作成する評価情報作成手段と
を備えたことを特徴とする施設管理装置。
【請求項２】
前記評価情報取得手段は、前記項目指定手段により指定された制御パラメータに基づいて、前記評価情報保持手段から同一の前記制御プログラム内の制御パラメータに対する評価情報を取得する
ことを特徴とする請求項１記載の施設管理装置。
【請求項３】
前記評価情報取得手段は、前記項目指定手段により指定された制御パラメータに基づいて、前記評価情報保持手段から同一の前記制御パラメータに対する評価情報を取得する
ことを特徴とする請求項１記載の施設管理装置。
【請求項４】
前記評価情報取得手段は、前記項目指定手段により指定された制御パラメータに基づいて、前記評価情報保持手段から関連する前記制御パラメータに対する評価情報を取得する
ことを特徴とする請求項１記載の施設管理装置。
【請求項５】
制御パラメータが設定された制御プログラムに従い、施設内の設備機器を制御する施設管理方法において、
値を設定変更する前記制御パラメータを指定する項目指定ステップと、
前記項目指定ステップにおいて指定した制御パラメータに基づいて、値が設定変更された前記制御パラメータに対する評価を示す評価情報を保持する評価情報保持手段に保持されている該当する評価情報を取得する評価情報取得ステップと、
前記評価情報取得ステップにおいて取得した評価情報を表示する評価情報表示ステップと、
前記評価情報表示ステップにおいて表示した評価情報に基づいて管理者により決定された値を、該当する前記制御パラメータの値として設定変更する設定変更ステップと、
前記設定変更ステップにおいて前記制御パラメータの値を設定変更した後、所定期間経過後に、当該制御パラメータに対する前記評価情報を作成する評価情報作成ステップと
を有することを特徴とする施設管理方法。
【発明の詳細な説明】
【技術分野】
【０００１】
この発明は、制御パラメータが設定された制御プログラムに従い、施設内の設備機器を制御する施設管理装置および施設管理方法に関するものである。
【背景技術】
【０００２】
従来から、施設管理装置では、施設（テナントビル、病院、ホテル、商標施設、学校など）における設備機器（空調、防災、防犯、照明、エレベータなど）から運転状況、温度や流量などの計測データ、入退室履歴、設備の警報データ、制御出力値などの管理ポイント情報を収集し、管理・制御を行っている。
【０００３】
この施設管理装置において、設備機器の制御自体は制御プログラムによる自動制御が主流である。一方、制御プログラムを規定する様々な制御パラメータの設定変更に関しては、管理者が、マニュアルに従い、その場の状況や経験に基づいて独自に判断して行っている。しかしながら、マニュアルの設定ルールや推奨値は極一般的なものであり、最適な設定で運用されているかの確証はない。また、膨大な設定項目に対し、管理者が最適な判断をし続けることは困難である。
この施設管理装置の運営において、どのような設定が一般的、最適、悪い設定であるかを管理者に対して提供することができれば、最適運営に近づけることができる。
【０００４】
それに対し、設備機器に係る計測データおよび制御パラメータを統計的手法により分析し、最適な制御パラメータおよびその指標を算定するものが知られている（例えば特許文献１参照）。そして、その結果を各設備機器の制御に反映させることで、省エネ促進、快適さの向上を図ることができる。
【先行技術文献】
【特許文献】
【０００５】
【特許文献１】特開２００３−８３５８９号公報
【発明の概要】
【発明が解決しようとする課題】
【０００６】
特許文献１に開示された手法では、計測データおよび制御パラメータを統計的手法により分析し、その結果を制御に反映させることで、省エネ促進や快適さの向上を図ることができる。しかしながら、その分析結果が施設管理装置の運営において最適な設定であるかどうかまでは判断できないという課題があった。
【０００７】
この発明は、上記のような課題を解決するためになされたもので、制御パラメータの設定変更を行う際に、より最適な設定を行うことができる施設管理装置および施設管理方法を提供することを目的としている。
【課題を解決するための手段】
【０００８】
この発明に係る施設管理装置は、値が設定変更された制御パラメータに対する評価を示す評価情報を保持する評価情報保持手段と、値を設定変更する制御パラメータを指定する項目指定手段と、項目指定手段により指定された制御パラメータに基づいて、評価情報保持手段に保持されている該当する評価情報を取得する評価情報取得手段と、評価情報取得手段により取得された評価情報を表示する評価情報表示手段と、評価情報表示手段により表示された評価情報に基づいて管理者により決定された値を、該当する制御パラメータの値として設定変更する設定変更手段と、設定変更手段により制御パラメータの値が設定変更された後、所定期間経過後に、当該制御パラメータに対する評価情報を作成する評価情報作成手段とを備えたものである。
【０００９】
また、この発明に係る施設管理方法は、値を設定変更する制御パラメータを指定する項目指定ステップと、項目指定ステップにおいて指定した制御パラメータに基づいて、値が設定変更された制御パラメータに対する評価を示す評価情報を保持する評価情報保持手段に保持されている該当する評価情報を取得する評価情報取得ステップと、評価情報取得ステップにおいて取得した評価情報を表示する評価情報表示ステップと、評価情報表示ステップにおいて表示した評価情報に基づいて管理者により決定された値を、該当する制御パラメータの値として設定変更する設定変更ステップと、設定変更ステップにおいて制御パラメータの値を設定変更した後、所定期間経過後に、当該制御パラメータに対する評価情報を作成する評価情報作成ステップとを有するものである。
【発明の効果】
【００１０】
この発明によれば、上記のように構成したので、制御パラメータの設定変更を行う際に、より最適な設定を行うことができる。
【図面の簡単な説明】
【００１１】
【図１】この発明の実施の形態１に係る施設管理装置の構成を示す図である。
【図２】この発明の実施の形態１に係る施設管理装置の動作を示すフローチャートである。
【図３】この発明の実施の形態１における評価情報一覧画面の一例を示す図である。
【図４】この発明の実施の形態１における評価情報作成予約画面の一例を示す図である。
【図５】この発明の実施の形態１における評価情報作成画面の一例を示す図である。
【図６】この発明の実施の形態１における評価情報一覧画面の別の一例を示す図である。
【発明を実施するための形態】
【００１２】
以下、この発明の実施の形態について図面を参照しながら詳細に説明する。
実施の形態１．
図１はこの発明の実施の形態１に係る施設管理装置の構成を示す図である。
施設管理装置は、制御パラメータが設定された制御プログラムに従い、施設内の設備機器（不図示）を制御するものである。この施設管理装置は、図１に示すように、評価情報保持手段１、項目指定手段２、評価情報取得手段３、評価情報表示手段４、設定変更手段５、評価情報作成予約手段６および評価情報作成手段７を備えている。
【００１３】
評価情報保持手段１は、評価情報作成手段７により作成された評価情報を保持するものである。評価情報は、値が設定変更された制御パラメータに対する評価を示す情報である。この評価情報には、例えば、値を設定変更した制御パラメータが存在する制御プログラムの識別情報、当該制御パラメータの識別情報、当該制御パラメータの値を設定変更した日時、当該制御パラメータの設定変更前後での値、当該制御パラメータの値を設定変更した目的、当該制御パラメータに対する評価を行った日時、評価の内容を示す情報等が含まれている。
【００１４】
項目指定手段２は、値を設定変更する制御パラメータを指定するものである。
評価情報取得手段３は、項目指定手段２により指定された制御パラメータに基づいて、評価情報保持手段１に保持されている該当する評価情報を取得するものである。
評価情報表示手段４は、評価情報取得手段３により取得された評価情報をモニタ（不図示）上に表示するものである。
【００１５】
設定変更手段５は、評価情報表示手段４により表示された評価情報に基づいて管理者により決定された値を、該当する制御パラメータの値として設定変更するものである。
評価情報作成予約手段６は、設定変更手段５により値が設定変更された制御パラメータに対する評価情報を作成する日時を予約するものである。
【００１６】
評価情報作成手段７は、設定変更手段５により制御パラメータの値が設定変更された後、評価情報作成予約手段６により予約された日時を経過後に、当該制御パラメータに対する評価情報を作成するものである。
【００１７】
次に、上記のように構成された施設管理装置の動作について、図２を参照しながら説明する。なお、評価情報保持手段１は、過去に評価情報作成手段７により作成された評価情報を保持している。
【００１８】
この施設管理装置において所定の制御パラメータを設定変更する場合、図２に示すように、まず、項目指定手段２は、値を設定変更する制御パラメータを指定する（ステップＳＴ１、項目指定ステップ）。この際、項目指定手段２は、値を設定変更する制御パラメータを示す情報（当該制御パラメータが存在する制御プログラムの識別情報および当該制御パラメータの識別情報）を評価情報取得手段３に通知する。
【００１９】
次いで、評価情報取得手段３は、項目指定手段２により指定された制御パラメータに基づいて、評価情報保持手段１に保持されている該当する評価情報を取得する（ステップＳＴ２、評価情報取得ステップ）。この際、評価情報取得手段３は、項目指定手段２により通知された制御パラメータを示す情報（制御プログラムおよび制御パラメータの識別情報）に基づいて、評価情報保持手段１から同一の制御プログラム内の制御パラメータに対する評価情報を取得する。
【００２０】
次いで、評価情報表示手段４は、評価情報取得手段３により取得された評価情報をモニタ上に一覧表示する（ステップＳＴ３、評価情報表示ステップ）。この評価情報表示手段４により表示される評価情報一覧画面の一例を図３に示す。図３に示すように、評価情報一覧画面では、値を設定変更する制御パラメータと同一の制御プログラム内の制御パラメータに対する過去の評価情報が一覧で表示されている。図３では、制御プログラム（０７）の制御パラメータ（Ａ）に対する過去の評価情報を一覧表示している。そして、図３の例では、制御プログラムの名称（ＰＧ）、制御パラメータの値を設定変更した日時（設定変更日時）、制御パラメータの設定変更前後での値（値）、設定変更の目的、設定変更した制御パラメータに対して評価を行った日時（評価日時）および評価の内容（評価）が示されている。
【００２１】
このように、設定変更する制御パラメータと同一の制御プログラム内の制御パラメータに対する過去の評価情報を管理者に提供することで、設定変更する制御パラメータの最適値を探ることができ、また、その最適値の確からしさを過去の実例・評価から判断することができる。
【００２２】
次いで、設定変更手段５は、評価情報表示手段４により一覧表示された評価情報に基づいて管理者により決定された値を、該当する制御パラメータの値として設定変更する（ステップＳＴ４、設定変更ステップ）。
【００２３】
次いで、評価情報作成予約手段６は、設定変更手段５により値が設定変更された制御パラメータに対する評価情報を作成する日時を予約する（ステップＳＴ５、評価情報作成予約ステップ）。この評価情報作成予約手段６によりモニタ上に表示される評価情報作成予約画面（フォロー予約画面）の一例を図４に示す。図４に示すように、フォロー予約画面では、制御パラメータの値を設定変更した目的を入力するための項目（設定変更の目的）と、当該制御パラメータに対する評価情報を作成する日時を入力するための項目（フォロー予約）とが設けられている。
【００２４】
次いで、評価情報作成手段７は、設定変更手段５により制御パラメータの値が設定変更された後、評価情報作成予約手段６により予約された日時を経過後に、当該制御パラメータに対する評価情報を作成する（ステップＳＴ６、評価情報作成ステップ）。ここで、図４に示すフォロー予約画面の入力が完了してその予約日時を経過した場合、評価情報作成予約手段６は、モニタ上に図５（ａ）に示すような評価情報の作成を促すためのインジケータを表示する。そして、このインジケータが選択されると、評価情報作成手段７は、図５（ｂ）に示すような評価情報を作成するための評価情報作成画面を表示する。この際、評価情報作成手段７は、評価情報作成予約手段６による予約日時を経過し、かつ、未だに評価情報が作成されていない制御パラメータ（未フォローの制御パラメータ）に関する情報を一覧表示し、評価情報の作成を促す。この評価情報作成画面では、値を設定変更した制御パラメータに対する評価の内容を入力するための項目（評価）が設けられている。そして、この評価情報作成画面の入力が完了すると、その評価情報が評価情報保持手段１に保持される。
【００２５】
なお上記では、評価情報取得手段３により、評価情報保持手段１から、項目指定手段２により指定された制御パラメータと同一の制御プログラム内の制御パラメータに対する評価情報を取得し、評価情報表示手段４により図３に示す評価情報一覧画面を表示する場合について示した。
それに対して、評価情報取得手段３により、評価情報保持手段１から、項目指定手段２により指定された制御パラメータと同一の制御パラメータに対する評価情報を取得するようにしてもよい。すなわち、同一の制御プログラム内だけではなく、他の制御プログラム内に存在する同一の制御パラメータに対する評価情報も取得する。そして、評価情報表示手段４により図６に示すような評価情報一覧画面を表示する。ここで、他の制御プログラム内の同一の制御パラメータは、対象は違っていても同様の目的のために使用されており、また、その評価情報は違う観点での検証にもなるため、設定変更する制御パラメータの最適値を探る際に有効な情報となる。
【００２６】
また、評価情報取得手段３により、評価情報保持手段１から、項目指定手段２により指定された制御パラメータに関連する制御パラメータに対する評価情報を合わせて取得するようにしてもよい。この際、関連する制御パラメータに対する評価情報として、値を設定変更する制御パラメータと同様の時期や同様の目的で設定変更された制御パラメータに対する評価情報を取得する。このような評価情報を管理者に提供することによっても、設定変更する制御パラメータの最適値を探る際に有効な情報となり、さらに高度な判断を促すことができる。
【００２７】
以上のように、この実施の形態１によれば、値が設定変更された制御パラメータに対する評価を示す評価情報を保持する評価情報保持手段１と、値を設定変更する制御パラメータを指定する項目指定手段２と、項目指定手段２により指定された制御パラメータに基づいて、評価情報保持手段１に保持されている該当する評価情報を取得する評価情報取得手段３と、評価情報取得手段３により取得された評価情報を表示する評価情報表示手段４と、評価情報表示手段４により表示された評価情報に基づいて管理者により決定された値を、該当する制御パラメータの値として設定変更する設定変更手段５と、設定変更手段５により制御パラメータの値が設定変更された後、所定期間経過後に、当該制御パラメータに対する評価情報を作成する評価情報作成手段７とを備えたので、制御パラメータの設定変更を行う際に、より最適な設定を行うことができる。
【００２８】
なお、本願発明はその発明の範囲内において、実施の形態の任意の構成要素の変形、もしくは実施の形態の任意の構成要素の省略が可能である。
【符号の説明】
【００２９】
１  評価情報保持手段
２  項目指定手段
３  評価情報取得手段
４  評価情報表示手段
５  設定変更手段
６  評価情報作成予約手段
７  評価情報作成手段
【図１】
2015064754.tif 000003
【図２】
2015064754.tif 000004
【図３】
2015064754.tif 000005
【図４】
2015064754.tif 000006
【図５】
2015064754.tif 000007
【図６】
2015064754.tif 000008